(57)【要約】  ばらの紙葉の束を加熱接着によって綴じ背(4)に結合して綴じる方法であって、  綴じるべき前記束(1)の端面(2)に融解性接着剤(3)のストリップを備え、その後、前記束(1)を、融解性接着剤(3)を備えた端面(2)が前記綴じ背(4)内に来るように配置し、その後、この綴じ背(4)を加熱して、融解性接着剤(3)のストリップを融解させ、その後、この融解性接着剤(3)を放置・冷却して、紙葉の束(1)を綴じ背(4)内に結合させて綴じること、を特徴とする綴じる方法。【選択図】図1
2009530143.tif 000002
【特許請求の範囲】
【請求項１】
ばらの紙葉の束を加熱接着によって綴じ背(4)に結合して綴じる方法であって、
綴じるべき前記束(1)の端面(2)に融解性接着剤(3)のストリップを備え、その後、前記束(1)を、融解性接着剤(3)を備えた端面(2)が前記綴じ背(4)内に来るように配置し、その後、この綴じ背(4)を加熱して、融解性接着剤(3)のストリップを融解させ、その後、この融解性接着剤(3)を放置・冷却して、紙葉の束(1)を綴じ背(4)内に結合させて綴じること、
を特徴とする綴じる方法。
【請求項２】
融解性接着剤(3)の当該ストリップがばらの紙葉の当該束(1)の端面(2)に直接備えられることを特徴とする請求項1に記載の方法。
【請求項３】
融解性接着剤(3)の当該ストリップが紙葉の束(1)の端面(2)に対向して接着されることを特徴とする請求項1または2に記載の方法。
【請求項４】
融解性接着剤(3)のストリップが、仲介ストリップ(12)の形の綴じ要素(8)によって、紙葉の束(1)の端面(2)に備えられ、このとき、前記仲介ストリップ(12)に、融解性接着剤(3)の前記ストリップが少なくとも仲介ストリップの片面上で少なくとも仲介ストリップのある縞状部分を覆うように備えられ、ここで、この綴じ要素(8)は、融解性接着剤(3)のストリップが外側に固定された状態で、前記端面(2)のまわりに折り曲げられていること、を特徴とする請求項1に記載の方法。
【請求項５】
当該綴じ要素(8)がステープル(13)留めによってばらの紙葉の束(1)に固定されることを特徴とする請求項4に記載の方法。
【請求項６】
当該綴じ要素(8)が機械的クランピングによってばらの紙葉の束(1)に固定されることを特徴とする請求項4に記載の方法。
【請求項７】
融解性接着剤(3)のストリップが、綴じ要素(8)によって紙葉の束(1)の端面(2)に備えられ、ここで、ばらの紙葉の束(1)が加熱接着によって綴じられ、そのあと、綴じ要素(8)上に、融解性接着剤(3)の前記ストリップが、紙葉の束を加熱接着によって綴じ背(4)内に結合させて綴じるために、備えられることを特徴とする請求項1に記載の方法。
【請求項８】
融解性接着剤(3)のストリップが、綴じ要素(8)内に当該端面(2)を接着し、そのあと、この綴じ要素(8)上に融解性接着剤(3)のストリップを備えることにより、紙葉の束(1)の端面(2)上に備えられ、紙葉の束(1)が加熱接着によって綴じ背(4)内に結合されて綴じられることを特徴とする請求項1に記載の方法。
【請求項９】
融解性接着剤(3)のストリップが、あらかじめその背面に融解性接着剤(3)の前記ストリップを備えている綴じ要素(8)内に当該端面(2)を接着することにより、紙葉の束(1)の端面(2)上に備えられ、紙葉の束(1)が加熱接着によって綴じ背(4)内に結合されて綴じられることを特徴とする請求項1に記載の方法。
【請求項１０】
請求項1から9の中のいずれか一つの方法で使用できる綴じ要素(8)であって、
主要素として、綴じ背(4)の内部に備えられる適当な寸法の融解性接着剤(3)のストリップを備えていること、
を特徴とする綴じ要素。
【請求項１１】
ばらの紙葉の束(1)の端面(2)上にまたはこれに対向して、融解性接着剤(3)の当該ストリップを固定するための手段(9)を備えていることを特徴とする請求項10に記載の綴じ要素(8)。
【請求項１２】
融解性接着剤(3)のストリップを固定するための当該手段が、仲介ストリップ(12)の形に作られ、該仲介ストリップ上に、融解性接着剤(3)のストリップが固定され、また前記仲介ストリップ(12)が、綴じるべき紙葉の束(1)の端面(2)のまわりに折り曲げて、ステープル(3)留めその他によって固定することができるようになっていることを特徴とする請求項11に記載の綴じ要素(8)。
【請求項１３】
融解性接着剤(3)のストリップを固定するための当該手段(9)が、除去できる箔(11)で覆われた接着剤の粘着層(10)の形に作られることを特徴とする請求項11に記載の綴じ要素(8)。
【請求項１４】
接着剤層(15)によって、綴じるべき紙葉の当該束(1)の端面(2)のまわりに接着することのできる枚葉(16)の形に作られ、前記枚葉が融解性接着剤(3)の当該ストリップをその背面に備えていることを特徴とする請求項10に記載の綴じ要素(8)。
【発明の詳細な説明】
【技術分野】
【０００１】
本発明は、ばらの紙葉の束を綴じる方法とそれに使用する綴じ要素に関する。
【０００２】
特に、本発明は、ばらの紙葉の束を加熱接着によって(thermally)綴じ背に結合させて綴じる方法に関する。
【背景技術】
【０００３】
ばらの紙葉の束を加熱接着によって綴じ背に結合させて綴じる方法は、すでに公知であり、この場合、この綴じ背にいわゆる融解性接着剤のストリップが備えられる。
【０００４】
この場合、"融解性接着剤"という言葉は、熱の作用下で融解する接着剤を意味する。
【０００５】
そのような綴じ背によって紙葉の束を綴じるために、この紙葉の束は、綴じ背内に配置され、そのあと、この綴じ背を加熱して、融解性接着剤のストリップを融解させ、そのあと、この融解性接着剤を放置・冷却して凝固させ、紙葉の束が綴じ背内に固定されるようにする。
【発明の開示】
【発明が解決しようとする課題】
【０００６】
前記公知の方法は非常に良い結果を与えるが、本発明の目的は、これに代わる方法を提供することである。
【０００７】
さらに、この代替法は、材料の組合せにおける、より大きな柔軟性を目指すものであり、また、この方法は、融解性接着剤との直接接触が好ましくない紙葉を綴じることをも可能にするものである。
【課題を解決するための手段】
【０００８】
この目的に応じて、本発明は、
ばらの紙葉の束を加熱接着によって綴じ背に結合して綴じる方法であって、
綴じるべき前記束の端面に融解性接着剤のストリップを備え、そのあと、この束を、融解性接着剤を備えた前記端面が前記綴じ背内に来るように配置し、それから、この綴じ背を加熱して、融解性接着剤の前記ストリップを融解させ、そのあと、この融解性接着剤を放置・冷却して、紙葉の前記束を前記綴じ背内に結合させて綴じること、
を特徴とする綴じる方法、
に関する。
【０００９】
そのような方法は、公知の方法に対して、興味ある代替物を提供し、さらに、綴じ背、紙葉、および接着剤の組み合わせに関して、より大きな柔軟性を与えるものである。
【００１０】
一つの可能な実施形態においては、融解性接着剤のストリップを紙葉の束の前記端面に直接には備えず、仲介ストリップの形の綴じ要素を介して前者のストリップが取りつけられる。仲介ストリップには、融解性接着剤の前記ストリップが、前記仲介ストリップの少なくとも片面上に、少なくとも該ストリップの縞状部分を覆うように備えられ、ここで、この綴じ要素は、融解性接着剤のストリップが外側に固定された状態で、前記端面のまわりに折り曲げられ、たとえばステープル留めによって前記端面近くに固定される。
【００１１】
このことにより、融解性接着剤が、綴じるべきばらの紙葉に直接接触しない、という利点が得られる。このように直接接触しないことは、場合によっては好ましいことである。
【００１２】
本発明は、また、
本発明の方法で使用できる綴じ要素であって、
主要素として、綴じ背の内部に備えられる適当な寸法の融解性接着剤のストリップを備えていること、
を特徴とする綴じ要素、
にも関する。
【００１３】
実用的実施形態においては、前記綴じ要素は、ばらの紙葉の束の端面上にまたはこれに対向して、融解性接着剤の前記ストリップを固定するための手段、たとえば、除去できる箔で覆われた接着剤の粘着層(self-adhesive layer)の形のもの、または、融解性接着剤のストリップが固定され、綴じるべき紙葉の束の端面のまわりに折り曲げて、ステープル留めその他によって固定することができるようになっている仲介ストリップの形のもの、を備えている。
【００１４】
以下、本発明の特徴をさらに十分に説明するために、ばらの紙葉の束を加熱接着によって綴じ背に結合して綴じる本発明の方法とそれに使用する綴じ要素とのいくつかの実施形態について、添付の図面を参照しつつ、限定を意図しない単なる例として、説明する。
【発明を実施するための最良の形態】
【００１５】
図1と2は、ばらの紙葉の束1を綴じるための本発明の方法の各ステップを示す。
【００１６】
図1に示す第一のステップにおいて、融解性接着剤3のストリップがばらの紙葉の前記束1の端面2に備えられている。この接着剤のストリップは、この場合、直接、前記端面2に備えられている。
【００１７】
このストリップは、たとえば、ある量の、融解状態の融解性接着剤に、ばらの紙葉のこの束1の当該端面2を浸漬することにより、得ることができる。
【００１８】
融解性接着剤3のストリップが少なくとも部分的に凝固したら、紙葉の束1を表紙5の綴じ背4内に配置し、そのあと、綴じ背4を公知のやり方で加熱して、融解性接着剤3のストリップを融解させる。
【００１９】
前記表紙5は、好ましくは、公知のタイプのものであり、二つの硬質端葉(end leaf)6および7を有し、これらの端葉は、綴じ背4にヒンジ取りつけされている。綴じ背4は、必ずというわけではないが、たとえば、図には示さない、熱の十分な伝導を可能にする金属U形要素を備えているタイプのものである。
【００２０】
しかし、明らかに、前記綴じ背の製造には、他の多くの材料、たとえばボール紙またはセラミック材料を使用することができる。
【００２１】
また、綴じ背4は、必ずしも端葉6および7を備えている必要はない。
【００２２】
熱源が切られて、融解性接着剤3が完全に冷却されて凝固すると、図2に示すように、表紙5内に綴じられた紙葉の束が得られる。
【００２３】
綴じるべきばらの紙葉の束1の端面上に融解性接着剤3のストリップを備えるための、前記のものに代わる一つの方法は、図3に示すように、綴じ要素8を使用することから成る。
【００２４】
この綴じ要素8は、主として、綴じ背4の内部に備えられた適当な寸法の融解性接着剤3のストリップから成り、さらに、ばらの紙葉の束1の端面2上またはこれに対向して取りつけられる融解性接着剤3の前記ストリップを固定することを可能にする手段9をも備えている。
【００２５】
この場合、必ずというわけではないが、融解性接着剤3のストリップを固定するための前記手段9は、除去可能な箔11で覆われた、接着剤の粘着層10の形のものである。
【００２６】
ばらの紙葉の束1を綴じるためには、接着剤の粘着層10の前記除去可能な箔11をまず除去し、それから、融解性接着剤3のストリップを、接着剤の前記粘着層10によって、ばらの紙葉の前記束1の端面2に対向して接着しなければならない。
【００２７】
次に、融解性接着剤3を備えた当該端面2を有する紙葉の束1を、綴じ背4内に配置し、公知のやり方で加熱接着によって綴じる。
【００２８】
図4〜6は、本発明の方法の変形を示す。
【００２９】
図4に示すように、綴じ背8を、本発明の図3に示すものと同様に、使用するが、綴じるべき束1の端面2上にまたはこれに対向して融解性接着剤3の前記ストリップを固定するための手段9が、この場合、たとえば紙、ボール紙、その他で作られた仲介ストリップ12から成り、融解性接着剤3のストリップが、前記仲介ストリップの少なくとも片面上に、該仲介ストリップの少なくともある縞状部分を覆うように、備えられ、また、図5に示すように、前記仲介ストリップを紙葉の束1の端面2のまわりに折り曲げて、ステープルその他によって綴じるようにすることができる。
【００３０】
図6に示す最終ステップにおいては、表紙5の綴じ背4内に、綴じ要素8を備えた紙葉の束1を配置し、それから、この綴じ背4を加熱して、融解性接着剤3のストリップを融解させ、最後に、融解性接着剤3のストリップを放置・冷却して、凝固させ、綴じられた紙葉の束が得られる。
【００３１】
明らかに、前記綴じ要素8は、必ずしも紙製でなくてもよく、ステープル留めできるものならば、他の任意の材料を使用することができる。
【００３２】
本発明の方法の一つの変形においては、割合に硬質の材料たとえば金属または硬質プラスチック製のU形綴じ要素8が使用される。この綴じ要素8は、その背面に融解性接着剤3の前記ストリップを備え、また、この綴じ要素8は、機械的クランピングによって、ばらの紙葉の束1の前記端面2近くに固定される。
【００３３】
図には示さない好ましい特徴によれば、ばらの紙葉の束1を綴じ背4内に配置する前に、前記綴じ背4の内側を、融解性接着剤3の前記ストリップに良く付着する材料の層たとえば紙で被覆する。
【００３４】
図に示す実施形態においては、表紙5は、綴じ背4とこれに固定された二つの端葉6および7とから成るが、本発明においては、端葉6および7を独立なものとすることは排除されない。
【００３５】
その場合、たとえば、端面2上に融解性接着剤3のストリップを備えたばらの紙葉の束1とともに少なくとも一つの端葉6および/または7を備えることができ、このばらの紙葉の束1とともに綴じ背4内に綴じることができる。
【００３６】
図7〜9は、図1〜3に示す方法のもう一つの変形を示す。この場合、図7に示す第一のステップにおいては、ばらの紙葉の束1が加熱接着によって前記端面2により綴じ要素8内に綴じこまれる。綴じ要素は、必ずというわけではないが、この場合、たとえばボール紙製のU形要素であり、この要素は、あらかじめ折り曲げられていてもいなくてもよく、また、内側に融解性接着剤の層14を備えている。
【００３７】
そのために、公知のように、当該端面2を備えたばらの紙葉の束1が、綴じ要素8内に配置され、そのあと、この綴じ要素が加熱されて、融解性接着剤の層14が融解する。
【００３８】
次に、融解性接着剤14が放置・冷却されて、凝固し、綴じ要素8内に綴じられた紙葉の束1が得られる。
【００３９】
図8に示す後続ステップにおいて、融解性接着剤3のストリップが、前記綴じ要素8の外側に備えられる。
【００４０】
この場合、融解性接着剤3のストリップは、綴じ要素8上に直接備えられるが、明らかに、図に示さない変形においては、ここで、追加の綴じ要素を使用することもできる。たとえば、接着剤の粘着層10の形の固定手段9を備えた図3に示すタイプのものが使用できる。
【００４１】
最後に、図9に示すように、綴じ要素8と融解性接着剤3のストリップとを有する綴じられた紙葉の束1の全体を、表紙5の綴じ背4内に配置して、この紙葉の束を、加熱接着により、綴じ背4に結合して綴じる。
【００４２】
図10〜12は、本発明のさらにもう一つの変形を示す。この場合、図10に示す第一のステップにおいて、ばらの紙葉の束1の端面2に、たとえば、ある量の融解状態の接着剤にこの端面2を浸漬することにより、接着剤層15が備えられる。
【００４３】
次に、束1を、その接着剤付きの端面2により、綴じ要素8に接着する。この場合、綴じ要素は、たとえば紙製の枚葉16の形に作られ、また、この枚葉16は、紙葉の束1のまわりに完全に折り曲げることができる。
【００４４】
明らかに、前記綴じ要素8は、他の形に作ることもでき、たとえば、ボール紙などで作られたU形要素の形にして、閉じるべき端面2のまわりに備えることができ、前記接着剤層15によって端面2に接着される。
【００４５】
図11に示す次のステップにおいて、融解性接着剤3のストリップが前記綴じ要素8の背面に備えられる。
【００４６】
最後に、図12に示すように、融解性接着剤3のストリップを備えた束1が、表紙5の綴じ背4内に加熱接着により綴じ込まれる。
【００４７】
明らかに、図10〜12に示す方法においては、あらかじめ融解性接着剤3のストリップが備えられた綴じ要素8を使用することもでき、したがって図11のステップを省略することもできる。
【００４８】
本発明は、添付の図面に示し、例として説明した方法のみに限定されるものではない。逆に、加熱接着によりばらの紙葉の束を綴じる本発明の方法とそれに使用する綴じ要素とは、本発明の範囲を逸脱することなく、あらゆる種類の変形を加えて実施することができる。
【図面の簡単な説明】
【００４９】
【図１】ばらの紙葉の束を綴じる本発明の方法の各ステップを示す図である。
【図２】ばらの紙葉の束を綴じる本発明の方法の各ステップを示す図である。
【図３】本発明の方法で使用できる綴じ要素の断面を示す模式図である。
【図４】図1〜3に示す方法の変形を示す図である。
【図５】図1〜3に示す方法の変形を示す図である。
【図６】図1〜3に示す方法の変形を示す図である。
【図７】図1〜3に示す方法のもう一つの変形を示す図である。
【図８】図1〜3に示す方法のもう一つの変形を示す図である。
【図９】図1〜3に示す方法のもう一つの変形を示す図である。
【図１０】図1〜3に示す方法のさらにもう一つの変形を示す図である。
【図１１】図1〜3に示す方法のさらにもう一つの変形を示す図である。
【図１２】図1〜3に示す方法のさらにもう一つの変形を示す図である。
【符号の説明】
【００５０】
1  ばらの紙葉の束
2  端面
3  融解性接着剤
4  綴じ背
5  表紙
6  硬質端葉
7  硬質端葉
8  綴じ要素
9  3のストリップの固定を可能にする手段
10  接着剤の粘着層
11  除去可能な箔
12  仲介ストリップ
13  ステープル
14  融解性接着剤の層
15  接着剤層
16  枚葉
【図１】
2009530143.tif 000003
【図２】
2009530143.tif 000004
【図３】
2009530143.tif 000005
【図４】
2009530143.tif 000006
【図５】
2009530143.tif 000007
【図６】
2009530143.tif 000008
【図７】
2009530143.tif 000009
【図８】
2009530143.tif 000010
【図９】
2009530143.tif 000011
【図１０】
2009530143.tif 000012
【図１１】
2009530143.tif 000013
【図１２】
2009530143.tif 000014
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
ばらの紙葉の束を加熱接着によって綴じ背(4)に結合して綴じる方法であって、
該方法が、以下の一連のステップ：
−まず、綴じるべき前記束(1)の端面(2)に、又は端面に対向して、融解性接着剤(3)のストリップを固定し、
−融解性接着剤(3)のストリップが融解状態で端面(2)に固定された場合、融解性接着剤(3)のストリップを少なくとも部分的に凝固させ、
−前記束(1)を、融解性接着剤(3)を備えた端面(2)が前記綴じ背(4)内に来るように配置し、
−この綴じ背(4)を加熱して、少なくとも部分的に凝固した融解性接着剤(3)のストリップを融解させ、その後、この融解性接着剤(3)を放置・冷却して、紙葉の束(1)を綴じ背(4)内に結合させて綴じる、
ステップから成ることを特徴とする綴じる方法。
【請求項２】
融解性接着剤(3)の当該ストリップがばらの紙葉の当該束(1)の端面(2)に直接固定されることを特徴とする請求項1に記載の方法。
【請求項３】
融解性接着剤(3)の当該ストリップが紙葉の束(1)の端面(2)に対向して接着されることを特徴とする請求項1または2に記載の方法。
【請求項４】
融解性接着剤(3)のストリップが、仲介ストリップ(12)の形の綴じ要素(8)によって、紙葉の束(1)の端面(2)に固定され、このとき、前記仲介ストリップ(12)に、融解性接着剤(3)の前記ストリップが少なくとも仲介ストリップの片面上で少なくとも仲介ストリップのある縞状部分を覆うように備えられ、ここで、この綴じ要素(8)は、融解性接着剤(3)のストリップが外側に固定された状態で、前記端面(2)のまわりに折り曲げられていること、を特徴とする請求項1に記載の方法。
【請求項５】
当該綴じ要素(8)がステープル(13)留めによってばらの紙葉の束(1)に固定されることを特徴とする請求項4に記載の方法。
【請求項６】
当該綴じ要素(8)が機械的クランピングによってばらの紙葉の束(1)に固定されることを特徴とする請求項4に記載の方法。
【請求項７】
融解性接着剤(3)のストリップが、綴じ要素(8)によって紙葉の束(1)の端面(2)に固定され、ここで、ばらの紙葉の束(1)が加熱接着によって綴じ要素(8)内に綴じられ、そのあと、綴じ要素(8)上に、融解性接着剤(3)の前記ストリップが、紙葉の束を加熱接着によって綴じ背(4)内に結合させて綴じるために、固定されることを特徴とする請求項1に記載の方法。
【請求項８】
融解性接着剤(3)のストリップが、綴じ要素(8)内に当該端面(2)を接着し、そのあと、この綴じ要素(8)上に融解性接着剤(3)のストリップを固定されることにより、紙葉の束(1)の端面(2)上に固定され、紙葉の束(1)が加熱接着によって綴じ背(4)内に結合させて綴じられることを特徴とする請求項1に記載の方法。
【請求項９】
融解性接着剤(3)のストリップが、あらかじめその背面に固定された融解性接着剤(3)のストリップを備えている綴じ要素(8)内に当該端面(2)を接着することにより、紙葉の束(1)の端面(2)上に固定され、紙葉の束(1)が加熱接着によって綴じ背(4)内に結合されて綴じられることを特徴とする請求項1に記載の方法。
【請求項１０】
融解性接着剤(3)のストリップが、ある量の融解状態の接着剤にこの紙葉の束(1)の端面(2)を浸漬することにより、紙葉の束(1)の端面(2)上に固定されることを特徴とする請求項1に記載の方法。
【国際調査報告】
2009530143.tif 000015
2009530143.tif 000016